(57)【要約】【課題】野球又はソフトボール用グラブに関して、グラブ背面側の外側親指袋と外側人差指袋を結ぶ領域に配置される受球面革の折り返し部材の構成と接合方法を改良したグラブを提供することを目的とする。【解決手段】背面革と受球面革とを含む部材で構成される表革を少なくとも有する野球またはソフトボール用グラブであって、前記の受球面革は、親指部、人差指部、中指部、薬指部、小指部及び手掌部を有し、前記親指部と前記人差指部とを結ぶ領域に、前記親指部の根元近傍から突出した親指側折り返し部と、前記人差指部の根元近傍から突出した人差指側折り返し部とを設け、前記親指側折り返し部と前記人差指側折り返し部とで囲まれた領域に接続部を設けたことを特徴とする野球又はソフトボール用グラブである。【選択図】図１
2008043474.tif 000002
【特許請求の範囲】
【請求項１】
背面革と受球面革とを含む部材で構成される表革を少なくとも有する野球またはソフトボール用グラブであって、
前記の受球面革は、親指部、人差指部、中指部、薬指部、小指部及び手掌部を有し、前記親指部と前記人差指部とを結ぶ領域に、前記親指部の根元近傍から突出した親指側折り返し部と、前記人差指部の根元近傍から突出した人差指側折り返し部とを設け、
グラブ形成時に前記親指側折り返し部と前記人差指側折り返し部とで囲まれた領域に接続部を配置したことを特徴とする野球又はソフトボール用グラブ。
【請求項２】
前記親指側折り返し部及び前記人差指側折り返し部と前記接続部との接合は、
前記親指側折り返し部の親指側の縁部と外側親指袋の背面革の縁部とで細革を挟み込むようにはみ出しを形成し、
前記人差指側折り返し部の人差指側の縁部と外側人差指袋を形成する背面革の縁部とで細革を挟み込むようにはみ出しを形成し、
前記親指側折り返し部と前記人差指側折り返し部とで囲まれた領域には接続部を設け、
前記接続部の周囲の縁部と前記接続部を囲む受球面革の縁部とで細革を挟み込むようにはみ出しを形成したことを特徴とする請求項１に記載の野球又はソフトボール用グラブ。
【請求項３】
親指部、人差指部、中指部、薬指部、小指部及び手掌部を有する野球又はソフトボール用グラブの受球面革であって、前記親指部と前記人差指部とを結ぶ領域に、前記親指部の根元近傍から突出した親指側折り返し部と、前記人差指部の根元近傍から突出した人差指側折り返し部とを設けたことを特徴とする野球又はソフトボール用グラブの受球面革。
【発明の詳細な説明】
【技術分野】
【０００１】
本発明は野球又はソフトボール用グラブに関するものであり、グラブ背面側の外側親指袋と外側人差指袋とを結ぶ領域に配置される受球面革の折り返し部材の構成に関するものである。
【背景技術】
【０００２】
従来より野球又はソフトボール用グラブ（本明細書では単にグラブとも称する。）は、グラブの表面を形成する表革と、前記表革の内部に挿入しグラブの内側を形成する裏革とでグラブ本体は構成される。前記の表革は受球面革と背面革とで構成され、裏革は手甲革と手掌革とで構成される。表革のうち外側親指袋、外側人差指袋及び両指袋を結ぶ領域で構成される略Ｕ字状の領域（ウエブと接続する領域）近傍については、次のような各種の構成がとられてきた。
まず図６及び図７に示すように、外側親指袋７１、外側人差指袋７２及び両指袋を結ぶ領域７１２におけるグラブ側面の中心部に「はみ出し」７９を配置したグラブが挙げられる。この種のグラブでは前記のはみ出し７９の中心に位置する細革７８が受球面革７３と背面革７４との境界部分となっており、略Ｕ字状領域の側面の中心部にはみ出し７９を配置することで、前記の領域が略Ｕ字形状にしっかり保持され、グラブの保形効果を高め、しっかりとボールを捕球することができる。
次に図８及び図９に示すように、グラブの表革を構成する受球面革７３と背面革７４のうち、受球面革７３の親指部７３１と人差指部７３２との間に根元側から先端側に突出した凸状の折り返し部７７を設け、グラブ形成時に前記の折り返し部７７をグラブ本体の背面側に折り返し、背面革７４の親指部７４１及び人差し指部７４２の根元部領域と一体化したグラブが挙げられる。この種のグラブでは前記のグラブとは異なり、外側親指袋と外側人差指袋を結ぶ領域７１２にはみ出しは配置されず、一枚革の折り返し部７７が配置されることで、この領域近傍の屈曲性を高めることができる。
また特許文献１には、手を形どり指片を延設した表面シートと、それぞれの指片の背面に位置し、指袋を構成する背面シートからなる内装芯袋において、この内装芯袋の親指袋と人差し指袋の間に紐体を通す通孔を有する取付部を設けた内装芯袋を用い、内装芯袋の通孔にも紐体を通して組み立てたことを特徴とする野球用グラブが開示されている。
【０００３】
ここで、グラブにおいて従来から用いられる「はみ出し」について説明する。図１３（ａ）は図８中のＣ−Ｃ線断面図（中指袋の横方向断面図）であり、図１３（ｂ）は図１３（ａ）中のＨ部の拡大図である。通常のグラブにおいて各指袋は図１３（ａ）に示すような断面形状を有しており、グラブの表革は受球面革７３と背面革７４で構成され、表革の内側に位置する裏革は手掌側８３と手甲革８４とで構成される。
はみ出しは、図１３（ａ）のＨ部のように、各外側指袋の背面における根元から先端までの縦方向の中心部や、図１３（ａ）のＪ部のように、各外側指袋の側面における根元から先端までの縦方向の中心部（受球面革７３と背面革７４との境界部）などに、指袋の補強や型付け、その部分を硬くするなどの目的で配置される。図１３（ｂ）に示すように、はみ出しは中央に位置する細革７８と、細革の左右両サイドを挟むように配置された皮革８０で構成され、細革７８と左右の皮革８０とは縫着によって一体化される（図では縫着部は点線で示す。）。
【特許文献１】特開２００１−３３４０１０号公報
【発明の開示】
【発明が解決しようとする課題】
【０００４】
しかし、図６及び図７に示したグラブは、はみ出しを設けることで前記のように略Ｕ字形状でしっかりとグラブが保持されるため、例えば外野手用のグラブには適しているが、柔軟性が求められる内野手用のグラブには適していない。
図８及び図９に示したグラブの折り返し部７７とグラブの背面革７４との接合部分について詳説する。なお図１０は図８に示した領域Ａを中心に拡大した部分拡大図であり、分かりやすくするために受球面革を網掛けの塗り潰しで示している。また図１１は図１０中のＡ−Ａ線断面図、図１２は同じくＢ−Ｂ線断面図を示している。図１０に示すように、グラブの背面側に位置する折り返し部７７は、折り返してすぐの領域７４ａ、７４ｂでは、外側親指袋７１及び外側人差指袋７２の側面中央のはみ出し７９をグラブ背面側に５〜２０ｍｍ程度延設して、図１１に示すように、細革７８、折り返し部７７（受球面革７３）及び背面革７４ではみ出し７９を構成する。また前記の領域より手口部側の領域７４ｃ、７４ｄでは、図１２に示すように、折り返し部７７（受球面革７３）と背面革７４とは単に重ねた状態で縫着し一体化される。ここで、前記の折り返し部７７のうちはみ出し７９を構成する領域７４ａ、７４ｂは、縫着後、外側親指袋７１及び外側人差指袋７２の方向に引っ張られるので、はみ出しの中心の細革７８に向かう方向（図８、図１０及び図１１中の矢印Ｆの方向）に強い張力が働くこととなる。そして、受球面革では使用者がボールを捕球する際に最もグラブとボールとの接触が多いポケット領域Ｂの一部（図８（ｂ）中の矢印Ｆが描かれた領域）に強い張力が働いた状態となるので、使用者が捕球を繰り返し続けた場合に、この領域の皮革が破断するという不具合を生じていた。
また前記特許文献１のグラブは、内装芯袋において工夫がみられるが、表面シート（表革）は、図６及び図７に示した仕様や図８及び図９に示した仕様とする必要があるので、前記と同様の不具合を生じてしまう。
【課題を解決するための手段】
【０００５】
前記の不具合を解決するために、本発明のグラブは、背面革と受球面革とを含む部材で構成される表革を少なくとも有する野球またはソフトボール用グラブであって、前記の受球面革は、親指部、人差指部、中指部、薬指部、小指部及び手掌部を有し、前記親指部と前記人差指部とを結ぶ領域に、前記親指部の根元近傍から突出した親指側折り返し部と、前記人差指部の根元近傍から突出した人差指側折り返し部とを設け、グラブ形成時に前記親指側折り返し部と前記人差指側折り返し部とで囲まれた領域に接続部を配置したことを特徴とする野球又はソフトボール用グラブである。
また、前記親指側折り返し部及び前記人差指側折り返し部と前記接続部との接合は、前記親指側折り返し部の親指側の縁部と外側親指袋の背面革の縁部とで細革を挟み込むようにはみ出しを形成し、前記人差指側折り返し部の人差指側の縁部と外側人差指袋を形成する背面革の縁部とで細革を挟み込むようにはみ出しを形成し、前記親指側折り返し部と前記人差指側折り返し部とで囲まれた領域には接続部を設け、前記接続部の周囲の縁部と前記接続部を囲む受球面革の縁部とで細革を挟み込むようにはみ出しを形成したことを特徴とする。
また本発明のグラブの受球面革は、親指部、人差指部、中指部、薬指部、小指部及び手掌部を有する野球又はソフトボール用グラブの受球面革であって、前記親指部と前記人差指部とを結ぶ領域に、前記親指部の根元近傍から突出した親指側折り返し部と、前記人差指部の根元近傍から突出した人差指側折り返し部とを設けたことを特徴とする野球又はソフトボール用グラブの受球面革である。
【発明の効果】
【０００６】
本発明のグラブでは、前記の構成とすることで従来のグラブの折り返し部にみられた張力は解消され、使用者が捕球を繰り返し続けた場合でも、受球面革におけるポケット領域の皮革の破断を抑えることができる。
また、折り返し部を親指側折り返し部、人差指側折り返し部及び接続部で構成し、三者の幅を調整することで、折り返し部領域の硬さを調整することができる。
また、折り返し部を親指側折り返し部、人差指側折り返し部及び接続部の三つの領域の皮革で構成し、それぞれの縁部にはみ出しを設けることで、この領域をグラブ背面の曲面に沿った立体的な膨らみを持った状態で保持することが可能となる。
【発明を実施するための最良の形態】
【０００７】
本発明に係るグラブの実施の形態について説明する。図１は本発明に係るグラブの一つの実施形態を示した背面図、図２は同じく正面図を示しており、図３（ａ）は図１に示したグラブの背面革を示しており、図３（ｂ）は同じく受球面革を示している。
本発明のグラブでは、受球面革の親指部と人差指部との間に配置した折り返し部に関連する特徴的な構成以外の部分は、従来からのグラブと基本的に同一の構成を有する。即ち、本発明に係るグラブ１０では、グラブ本体１１はグラブ表面を形成する表革２１と前記表革の内部に挿入されグラブの内側を形成する裏革２０とで構成される。図３に示すように、前記表革２１は少なくとも背面革２２と受球面革２３とで構成され、図示はしないが前記裏革は少なくとも手甲革と手掌革とで構成される。
【０００８】
図３に示すように、背面革２２はそれぞれ５本の外側指袋を形成するように複数の皮革から成る指部パーツ（人差指から小指までのパーツと親指のパーツ）２４によって作製され、受球面革２３は親指部、人差指部、中指部、薬指部、小指部及び手掌部を有する。そして本発明のグラブの受球面革２３では、親指部２３１と人差指部２３２との間に、親指側折り返し部２３ａと人差指側折り返し部２３ｂとを有する。
表革２１の作製は、受球面革２３と背面革の指部パーツ２４との周縁を両者とも銀面側が内側になるように手口挿入部７を除いた縁部を縫着（はみ出しを形成）した後、銀面側が表側となるように表裏反転させる。表革は外側親指袋１、外側人差指袋２、外側中指袋３、外側薬指袋４及び外側小指袋５を含む外側指袋を有する。
【０００９】
裏革の作成は、前記表革よりも小さく裁断した５本の略指型形状を有する手掌革と、それぞれ５本の指袋を形成するように複数の皮革から成るパーツを縫着して仕上げた手甲革とを、両者の銀面側が内側になるように、手口挿入部を除いて周縁を縫着する。裏革は内側親指袋、内側人差指袋、内側中指袋、内側薬指袋及び内側小指袋を含む内側指袋を有する。
【００１０】
表革の所要部に、フェルト等で作られた芯体やその他の衝撃吸収体、ワックス等を挿入したり、オイルを含浸させた後、表革内に前記裏革を挿入し、使用者の手が挿入される手口挿入部７において表革と裏革を革紐で結合する。各外側指袋の中には該当する各内側指袋が挿入される。背面革の外側人差袋２から外側薬指袋４までの根元付近には開口部８を有し、外側親指袋１と外側人差指袋２の間には、別途形成したウエブ６を革紐で結合し、使用者の手甲の手首領域に宛がわれる手口ベルト部９を革紐で結合して、最終的にグラブ１として仕上げる。
【００１１】
前記背面革２２、受球面革２３、手甲革、手掌革、ウエブ６、手口ベルト部９及び後述する接続部は天然皮革、合成皮革、その他これらと同材質の材質で構成される。
【００１２】
本発明のグラブ１では、受球面革２３の親指部２３１と人差指部２３２とを結ぶ領域において、親指部２３１の根元近傍から突出した親指側折り返し部２３ａと、人差指部２３２の根元近傍から突出した人差指側折り返し部２３ｂとを設ける。図４は親指側折り返し部２３ａと人差指側折り返し部２３ｂの部分拡大図である。前記の親指側折り返し部２３ａと人差指側折り返し部２３ｂの形状について説明すると、図４（ａ）に示すように、親指側折り返し部２３ａと人差指側折り返し部２３ｂはそれぞれ根元側から指先側に向かって幅広くなるように設けることもできるし、図４（ｂ）に示すように、根元側から指先側に向かって幅が狭くなるように設けることもできる。また、図示はしないが根元側から指先側に向かって略同一の幅となるように設けることもできる。親指側折り返し部２３ａの根元側の幅Ｌａ１、同じく先端側の幅Ｌａ２、人差指側折り返し部２３ｂの根元側の幅Ｌｂ１、同じく先端側の幅Ｌｂ２はそれぞれ１０ｍｍ〜５０ｍｍ程度とすることができる。また親指側折り返し部２３ａの縦方向の長さＬａ３はグラブ形成時に折り返しから手口ベルト部に至る長さが必要であり、人差指側折り返し部２３ｂの縦方向の長さＬｂ３はグラブ形成時に折り返しから開口部に至る長さが必要である。具体的にはＬａ３、Ｌｂ３共に３０ｍｍ〜１００ｍｍ程度とすることができる。なお、前記の幅や長さはそれぞれグラブの形状や大きさに応じて任意である。また、親指側折り返し部は根元側を太く先端側を細くすると共に、人差指側折り返し部は根元側を細く先端側を太くするなど、親指側折り返し部２３ａと人差指側折り返し部２３ｂは異なる形状のものを組み合わせることも可能である。
【００１３】
図５は本発明のグラブの背面側の外側親指袋から外側人差指袋に至る部分においてウエブを取り外した状態を示しており、図４（ａ）に示した親指側折り返し部と人差指側折り返し部のタイプのグラブである。また分かりやすくするために受球面革を網掛けの塗り潰しで示している。親指側折り返し部２３ａと背面革２２の親指部との接合方法については、外側親指袋１の側面の中央に設けるはみ出し１５を外側親指袋１の先端から根元側の手口ベルト部９にまで至るように延設する。すなわち、受球面側から背面側に折り返された親指側折り返し部２３ａの親指側の縁部２３ａ１と外側親指袋１を形成する背面革２２の縁部とで細革１６を挟み込むようにはみ出し１５を形成する。
次に、人差指側折り返し部２３ｂと背面革２２の人差指部との接合方法について説明すると、外側人差指袋２の側面の中央に設けるはみ出し１５を外側人差指袋２の先端から根元側の開口部８にまで至るように延設する。すなわち、受球面側から背面側に折り返された人差指側折り返し部２３ｂの人差指側の縁部２３ｂ１と外側人差指袋２を形成する背面革２２の縁部とで細革１６を挟み込むようにして、はみ出し１５を形成する。
【００１４】
また、親指側折り返し部２３ａ及び人差指側折り返し部２３ｂとの間には、両折り返し部に囲まれた領域を埋めるように接続部２３ｃを設ける。図４（ａ）に示す両折り返し部のタイプでは、接続部２３ｃは略角丸台形状となる。接続部２３ｃの周囲と接続部２３ｃを囲む受球面革２３の縁部（親指側折り返し部２３ａの中央側の縁部２３ａ２、人差指側折り返し部２３ｂの中央側の縁部２３ｂ２、及び両折り返し部の基端部を繋ぐ縁部２３ａｂ）もはみ出し１５によって一体化する。図５に示したグラブ１０では、接続部２３ｃは折り返し側の縁部２３ｃ１の長さに比べて開口部８側の縁部２３ｃ２の長さが短くなっている。このような形状とすれば、接続部２３ｃ内にウエブを接続するための革紐用の穴１７を多数設けることができる。また、接続部２３ｃの折り返し側の縁部２３ｃ１で構成するはみ出しは、グラブの背面側に配置することが好ましい。受球面革に配置すると繰り返しの捕球ではみ出しが破断してしまうからである。
【００１５】
図８乃至図１０に示した従来の折り返し部を有するグラブでは、折り返し部を一枚の皮革で構成し、さらに折り返してすぐの領域のみはみ出しで接続するので、図８、図１０及び図１１中の矢印Ｆに示した強い張力が働くこととなるが、本発明のグラブでは、親指側折り返し部２３ａ、人差指側折り返し部２３ｂ及び接続部２３ｃで折り返し部を構成すると共に、親指側折り返し部２３ａと外側親指袋１を接合するはみ出しを手口ベルト部９にまで至るように延設して、人差指側折り返し部２３ｂと外側人差指袋２を接合するはみ出しを開口部８にまで至るように延設することで、従来のグラブのような張力は解消され、使用者が捕球を繰り返し続けた場合でも、受球面革のポケット領域の皮革が破断するという不具合は発生しない。
また、同じく従来のグラブではグラブ背面の外側親指袋と外側人差指袋を結ぶ領域近傍の硬さを調整することは難しく、ウエブの形状或いはウエブを取り付けるための革紐の緊締度で硬さの調整を行っていたが、本発明のグラブでは前記の領域は、親指側折り返し部２３ａ、人差指側折り返し部２３ｂ及び接続部２３ｃで構成されており、三者の幅を調整することで、ウエブの形状や革紐の緊締度合いとは関係なく、前記の領域の硬さを調整することができる。即ち、親指側折り返し部２３ａ、人差指側折り返し部２３ｂ及び接続部２３ｃの幅を均等に振り分ければ、三者は略同等の硬さを有し、親指側折り返し部２３ａ、人差指側折り返し部２３ｂ及び接続部２３ｃのうちいずれかの幅を小さくすれば、その部分の硬さを増すことができる。また、接続部２３ｃの折り返し側の縁部２３ｃ１の長さを長くすれば（受球面革の形状を図４（ａ）のようにすれば）、図６及び図７に示したグラブのように、前記の領域に配置されるはみ出しが長くなるので硬さを増すことができるし、接続部２３ｃの折り返し側の縁部２３ｃ１の長さを短くすれば（受球面革の形状を図４（ｂ）のようにすれば）、前記の領域に配置されるはみ出しが短くなるので硬さを抑えることができる。
また折り返し部を、親指側折り返し部２３ａ、人差指側折り返し部２３ｂ及び接続部２３ｃを三つの領域の皮革で構成し、それぞれの縁部にはみ出しを設けることで、この領域をグラブ背面の曲面に沿った立体的な膨らみを持った状態で保持することができる。
【実施例】
【００１６】
本発明の実施例のグラブについて説明する。本実施例のグラブにおける受球面革の親指側折り返し部、人差指側折り返し部及び接続部は図１、図３、図４（ａ）及び図５に示したタイプのものである。
以下、図１乃至図５を用いて説明すると、本実施例のグラブ１では、受球面革２３の親指部２３１と人差指部２３２との間に各々独立して根元側から指先側に突出した親指側折り返し部２３ａと人差指側折り返し部２３ｂとを設け、両折り返し部２３ａ、２３ｂはそれぞれ根元側から指先側に向かって幅広くなるように設けた。
受球面革の親指側折り返し部２３ａの根元側の幅Ｌａ１は１１ｍｍ、同じく先端側の幅Ｌａ２は３６ｍｍ、同じく縦方向の長さＬａ３は６５ｍｍ、人差指側折り返し部２３ｂの根元側の幅Ｌｂ１は１２ｍｍ、同じく先端側の幅Ｌｂ２は２２ｍｍ、同じく縦方向の長さＬｂ３は７０ｍｍとした。なお、両折り返し部の縁部の約３ｍｍは縫代となるので、最終的にグラブとなった場合には、親指側折り返し部２３ａの根元側の幅は５ｍｍ、同じく先端側の幅は３０ｍｍ、同じく縦方向の長さは６２ｍｍ、人差指側折り返し部２３ｂの根元側の幅は６ｍｍ、同じく先端側の幅は１６ｍｍ、同じく縦方向の長さは６７ｍｍとなる。（根元側と先端側は両縁にはみ出しを形成するので計６ｍｍ短くなり、縦方向については、手口ベルト部９と開口部の８の縁部に縫製するので３ｍｍ短くなる。）
接続部２３ｃのグラブ形成前の大きさは、折り返し側の縁部２３ｃ１の長さは８１ｍｍ、開口部８側の縁部２３ｃ２の長さは４１ｍｍ、縦方向の長さは６１ｍｍとした。最終的にグラブとなった場合には、折り返し側の縁部２３ｃ１の長さは７５ｍｍ、開口部８側の縁部２３ｃ２の長さは３５ｍｍ、縦方向の長さは５５ｍｍとなる。（横方向は親指側折り返し部２３ａ及び人差指側折り返し部２３ｂとはみ出しを形成することで計６ｍｍ短くなり、縦方向は折り返し側のはみ出しと開口部の８と接続する縁部の縫製により計６ｍｍ短くなる。）
接続部２３ｃの上部にはウエブ６を接続するための革紐用の穴１７を４箇所設けた。前記の接続部内の穴１７及び外側親指袋１と外側人差指袋２に設けた穴に革紐を通し、別途形成したウエブ６を結合し、図１に示すグラブ１０とした。
【図面の簡単な説明】
【００１７】
【図１】本発明の一実施形態のグラブを示す背面図である。
【図２】本発明の一実施形態のグラブを示す正面図である。
【図３】図３（ａ）は本発明の一実施形態のグラブの背面革を示す図であり、図３（ｂ）は同じく受球面革を示す図である。
【図４】本発明のグラブにおける親指側折り返し部と人差指側折り返し部を示した受球面革の部分拡大図である。
【図５】本発明の一実施形態のグラブの背面側の外側親指袋から外側人差指袋に至る部分を示した図である。
【図６】従来のグラブを示しており、図６（ａ）は背面図、図６（ｂ）は正面図である。
【図７】図６に示したグラブを指袋の先端側から見た図である。
【図８】従来の他のグラブを示しており、図８（ａ）は背面図、図８（ｂ）は正面図である。
【図９】図９（ａ）は図８に示したグラブの背面革を示した図であり、図９（ｂ）は同じく受球面革を示した図である。
【図１０】図８に示したＡの領域を中心に拡大した部分拡大図である。
【図１１】図１１は図１０中のＡ−Ａ線断面図である。
【図１２】図１２は図１０中のＢ−Ｂ線断面図である。
【図１３】図１３（ａ）は図８中のＣ−Ｃ線断面図であり、図１３（ｂ）は図１３（ａ）中のＨ部の拡大図である。
【符号の説明】
【００１８】
１  外側親指袋
２  外側人差指袋
３  外側中指袋
４  外側薬指袋
５  外側小指袋
６  ウエブ
７  手口挿入部
８  開口部
９  手口ベルト部
１０  グラブ
１１  グラブ本体
１５  はみ出し
１６  細革
１７  穴
２０  裏革
２１  表革
２２  背面革
２３  受球面革
２３１  親指部
２３２  人差指部
２３ａ  親指側折り返し部
２３ｂ  人差指側折り返し部
２３ａ１、２３ｂ１、２３ａ２、２３ｂ２、２３ａｂ  縁部
２３ｃ  続部
２４  指部パーツ
７１  外側親指袋
７２  外側人差指袋
７１２  領域
７３  受球面革
７４  背面革
７３１、７４１  親指部
７３２、７４２  人差指部
７７  折り返し部
７８  細革
７９  はみ出し
８０  皮革
８３  手掌革
８４  手甲革
【図１】
2008043474.tif 000003
【図２】
2008043474.tif 000004
【図３】
2008043474.tif 000005
【図４】
2008043474.tif 000006
【図５】
2008043474.tif 000007
【図６】
2008043474.tif 000008
【図７】
2008043474.tif 000009
【図８】
2008043474.tif 000010
【図９】
2008043474.tif 000011
【図１０】
2008043474.tif 000012
【図１１】
2008043474.tif 000013
【図１２】
2008043474.tif 000014
【図１３】
2008043474.tif 000015